(57)【特許請求の範囲】
【請求項１】
円形天面壁と該天面壁の周縁から垂下する円筒形スカート壁とを具備し、
該スカート壁には周方向所定領域に配置された薄肉ヒンジ、一方は該薄肉ヒンジの周方向片側に他方は該薄肉ヒンジの周方向他側に配置された２個の開口、該薄肉ヒンジの直径方向反対側に配置され１７０乃至２１０度の角度範囲に渡って延在する第一の周方向破断手段、及び一方は該第一の周方向破断手段の周方向片側から該開口の一方まで他方は該第一の周方向破断手段の他側から該開口の他方まで延在する２個の第二の周方向破断手段が配設されており、
該第一の周方向破断手段は、一方は該角度範囲の周方向片端に他方は該角度範囲の周方向他端に位置する、軸線方向に延びる２個のスリット、該スリットの一方から該スリットの他方まで周方向に延び且つ両者間に切り取りストリップを規定する上側薄肉破断ライン及び下側薄肉破断ライン、該スリットの一方に隣接して該切り取りストリップの外面に付設された把持片から構成されており、
該第一の周方向破断手段における該上側薄肉破断ライン及び該下側薄肉破断ラインを破断し、次いで該第一の周方向破断手段の周方向両端から離れる方向に該第二の周方向破手段の各々を破断せしめると、該第一の周方向破断手段及び該第二の周方向破断手段よりも上方に存在する旋回回動部が該薄肉ヒンジを中心として上方へ旋回回動可能になる、
合成樹脂製容器蓋において、
該第二の周方向破断手段の各々は、該第一の周方向破断手段の該スリットの各々から該開口の各々まで周方向に延びる薄肉破断ラインから構成されており、該旋回回動部には容器の口頸部に係止せしめられる係止手段が形成されており、
該係止手段は周方向に間隔をおいて周方向に延びる複数個の係止突条から構成されており、
該第二の周方向破断手段の各々の、該第一の周方向破断手段に続く破断開始端部が位置する角度領域である破断開始角度領域においては、該係止突条が存在しない、
ことを特徴とする合成樹脂製容器蓋。
【請求項２】
該破断開始角度領域の各々の周方向角度は５乃至２０度である、請求項１記載の合成樹脂製容器蓋。
【請求項３】
該天面壁の内面から垂下し容器の口頸部の上端部外周面に密接せしめられる環状外側シール片が配設されており、該係止手段は該環状外側シール片の内周面に形成されている、請求項１又は２記載の合成樹脂製容器蓋。
【請求項４】
該天面壁の内面から垂下し容器の口頸部の上端部内周面に密接せしめられる環状内側シール片、及び該天面壁の内面に配置され容器の口頸部の頂面に密接せしめられる環状シール突条が配設されている、請求項３記載の合成樹脂製容器蓋。
【請求項５】
該破断開始角度領域の、該第二の周方向破断手段の破断方向に見て少なくとも上流端部において、該環状外側シール片は局部的に内径を増大せしめることによって局部的に厚さが低減せしめられている、請求項３又は４記載の合成樹脂製容器蓋。
【請求項６】
該スカート壁の外周面には、該薄肉ヒンジの下方から該薄肉ヒンジに沿ってその半径方向外側を上方に延びる支持突出片が配設されていると共に、該薄肉ヒンジの上方に配置され、該旋回回動部が９５乃至１２０度旋回回動せしめられると該支持突出片の先端部を受け入れる支持凹部が配設されている、請求項１から５までのいずれかに記載の合成樹脂製容器蓋。
【発明の詳細な説明】
【０００１】
【発明の属する技術分野】
本発明は、合成樹脂製容器蓋、それに限定されるものではないが、殊に粉ミルク等の粉末のための所謂広口容器に適する合成樹脂製容器蓋に関する。
【０００２】
【従来の技術】
特開平１１−４３１６８号公報には広口容器に適する合成樹脂製容器蓋が開示されている。この容器蓋は円形天面壁とこの天面壁の周縁から垂下する円筒形スカート壁とを具備する。スカート壁には周方向所定領域に配置された薄肉ヒンジ、一方は薄肉ヒンジの周方向片側に他方は薄肉ヒンジの周方向他側に配置された２個の開口、薄肉ヒンジの直径方向反対側に配置され１８０度の角度範囲に渡って延在する第一の周方向破断手段、及び一方は第一の周方向破断手段の周方向片側から開口の一方まで他方は第一の周方向破断手段の他側から開口の他方まで延在する２個の第二の周方向破断手段が配設されている。第一の周方向破断手段は、一方は上記角度範囲の周方向片端に他方は上記角度範囲の周方向他端に位置する、軸線方向に延びる２個のスリット、スリットの一方からスリットの他方まで周方向に延び且つ両者間に切り取りストリップを規定する上側薄肉破断ライン及び下側薄肉破断ライン、スリットの一方に隣接して該切り取りストリップの外面に付設された把持片から構成されている。第二の周方向破断ラインは周方向に間隔をおいて周方向に延びる複数個のスリットから構成されている。スカート壁の、第一の周方向破断手段及び第二の周方向破断手段よりも上方の部分には、周方向に連続して延びる係止突条が配設されている。かかる係止突条は容器の口頸部に係止せしめられる。天面壁の内面には下方に垂下する環状シール片が配設されており、かかる環状シール片は容器の口頸部の内周面に密接せしめられる。
【０００３】
上述した容器蓋は、そのスカート壁の下部、更に詳しくは第一の周方向破断手段及び第二の周方向破断手段よりも下方の部分、を容器の口頸部に固定することによって容器の口頸部に装着され、容器の口頸部を閉じる。容器の内容物を消費する際には、第一の周方向破断手段の把持片を把持して第一の周方向破断手段の上側薄肉破断ライン及び下側薄肉破断ラインを破断して切り取りストリップを切り取る。次いで、旋回回動部、即ち第一の周方向破断手段及び第二の周方向破断手段よりも上方に位置する部分を、薄肉ヒンジの直径方向反対側に位置する部位に指を掛けて上方及び薄肉ヒンジに向かう方向に強制し、第二の周方向破断手段を破断、更に詳しくは複数個のスリット間に残留せしめられている橋絡部を破断しながら、薄肉ヒンジを中心として旋回回動部を旋回回動せしめ、かくして容器の口頸部を解放せしめる。
【０００４】
【発明が解決しようとする課題】
而して、特開平１１−４３１６８号公報に開示されている上述したとおりの容器蓋には、（１）第二の周方向破断手段が周方向に間隔をおいて周方向に延びる複数個のスリットから構成されており、複数個のスリットに埃が堆積し得る空間を形成するので、埃が堆積し得る空間が多数存在することになる、（２）容器蓋を射出成形によって容器蓋を成形する際に、第二の周方向破断手段を構成する周方向に間隔をおいて周方向に延びるスリット間の残留する複数個の橋絡部を通して合成樹脂素材を流動せしめることが必要である故に、成形効率が制限される、（３）第一の周方向破断手段の破断に引き続いて第二の周方向破断手段の破断を開始する際に、容器の口頸部に対する係止突条の係止を解除しながら第二の周方向破断手段の破断を開始しなければならない等に起因して、相当大きな力を加えて旋回回動部を旋回回動せしめることが必要であり、従って特に女性乃至子供にとっては旋回回動部の旋回回動が困難であることが少なくない、（４）旋回回動部を薄肉ヒンジを中心として所定角度旋回回動せしめると、環状シール片の一部が容器の口頸部の頂面に当接し、これによって旋回回動部を所定角度旋回回動せしめられた状態に一時的に保持するように意図されているが、環状シール片の一部と口頸部の頂面との当接が必ずしも充分でなく、旋回回動部を所定角度旋回回動せしめた状態に充分確実に保持することができない、（５）旋回回動部を所定角度旋回回動せした状態から閉方向に旋回回動して元の状態に戻し容器の口頸部を閉じる際に、環状シール片が容器の口頸部の頂面に当接することによって、旋回回動部の閉方向への旋回回動が阻害される虞がある、という解決すべき問題が存在する。
【０００５】
本発明は上記事実に鑑みてなさされたものであり、その主たる技術的課題は、周方向に延びる複数個のスリットが存在せず、従って複数個のスリットに起因する上記問題（１）及び（２）が存在せず、そして更に第二の周方向破断手段の破断を充分容易に開始することができる、従って上記問題（３）が存在しない、新規且つ改良された合成樹脂製容器蓋を提供することである。
【０００６】
本発明の他の技術的課題は、上記主たる技術的課題の達成に加えて、旋回回動部を所定角度旋回回動せしめると、旋回回動部がかかる角度位置に充分確実に保持されるにもかかわらず、旋回回動部を充分容易に閉方向に旋回回動せしめることができる、従って上記問題（４）及び（５）が存在しない、新規且つ改良された合成樹脂製容器蓋を提供することである。
【０００７】
【課題を解決するための手段】
本発明によれば、上記主たる技術的課題を達成する合成樹脂製容器蓋として、円形天面壁と該天面壁の周縁から垂下する円筒形スカート壁とを具備し、
該スカート壁には周方向所定領域に配置された薄肉ヒンジ、一方は該薄肉ヒンジの周方向片側に他方は該薄肉ヒンジの周方向他側に配置された２個の開口、該薄肉ヒンジの直径方向反対側に配置され１７０乃至２１０度の角度範囲に渡って延在する第一の周方向破断手段、及び一方は該第一の周方向破断手段の周方向片側から該開口の一方まで他方は該第一の周方向破断手段の他側から該開口の他方まで延在する２個の第二の周方向破断手段が配設されており、
該第一の周方向破断手段は、一方は該角度範囲の周方向片端に他方は該角度範囲の周方向他端に位置する、軸線方向に延びる２個のスリット、該スリットの一方から該スリットの他方まで周方向に延び且つ両者間に切り取りストリップを規定する上側薄肉破断ライン及び下側薄肉破断ライン、該スリットの一方に隣接して該切り取りストリップの外面に付設された把持片から構成されており、
該第一の周方向破断手段における該上側薄肉破断ライン及び該下側薄肉破断ラインを破断し、次いで該第一の周方向破断手段の周方向両端から離れる方向に該第二の周方向破手段の各々を破断せしめると、該第一の周方向破断手段及び該第二の周方向破断手段よりも上方に存在する旋回回動部が該薄肉ヒンジを中心として上方へ旋回回動可能になる、
合成樹脂製容器蓋において、
該第二の周方向破断手段の各々は、該第一の周方向破断手段の該スリットの各々から該開口の各々まで周方向に延びる薄肉破断ラインから構成されており、該旋回回動部には容器の口頸部に係止せしめられる係止手段が形成されており、
該係止手段は周方向に間隔をおいて周方向に延びる複数個の係止突条から構成されており、
該第二の周方向破断手段の各々の、該第一の周方向破断手段に続く破断開始端部が位置する角度領域である破断開始角度領域においては、該係止突条が存在しない、
ことを特徴とする合成樹脂製容器蓋が提供される。
【０００８】
該破断開始角度領域の各々の周方向角度は５乃至２０度であるのが好ましい。好適実施形態においては、該天面壁の内面から垂下し容器の口頸部の上端部外周面に密接せしめられる環状外側シール片が配設されており、該係止手段は該環状外側シール片の内周面に形成されている該天面壁の内面から垂下し容器の口頸部の上端部内周面に密接せしめられる環状内側シール片、及び該天面壁の内面に配置され容器の口頸部の頂面に密接せしめられる環状シール突条が配設されている。好ましくは、該破断開始角度領域の、該第二の周方向破断手段の破断方向に見て少なくとも上流端部において、該環状外側シール片は局部的に内径を増大せしめることによって局部的に厚さが低減せしめられている。
該スカート壁の外周面には、該薄肉ヒンジの下方から該薄肉ヒンジに沿ってその半径方向外側を上方に延びる支持突出片が配設されていると共に、該薄肉ヒンジの上方に配置され、該旋回回動部が９５乃至１２０度旋回回動せしめられると該支持突出片の先端部を受け入れる支持凹部が配設されているのが好適である。
【０００９】
【発明の実施の形態】
以下、本発明に従って構成された合成樹脂製容器蓋の好適実施形態を図示している添付図面を参照して、更に詳細に説明する。
【００１０】
図１乃至図４を参照して説明すると、本発明に従って構成された全体を番号２で示す合成樹脂製容器蓋は、ポリエチレン及びポリプロピレンの如き適宜の合成樹脂から一体に成形されている。かかる容器蓋２は、円形天面壁４とこの天面壁４の周縁から垂下する円筒形スカート壁６とを具備している。スカート壁６には周方向所定領域に配置された薄肉ヒンジ８、薄肉ヒンジ８の周方向両側に配置された２個の矩形状開口１０、薄肉ヒンジ８の直径方向反対側に配置された第一の周方向破断手段１２、及び第一の周方向破断手段１２の周方向両側から開口１０の各々まで延在する２個の第二の周方向破断手段１４が配設されている。第一の周方向破断手段１２は、１７０乃至２１０度の角度範囲、好ましくは略１８０度の角度範囲、に渡って延在せしめられている。第一の周方向破断手段１２は、一方は上記角度範囲の周方向片端に他方は上記角度範囲の周方向他端に位置し、軸線方向に延びる２個のスリット１６、軸線方向に間隔をおいてスリット１６の一方からスリット１６の他方まで周方向に延び且つ両者間に切り取りストリップ１８を規定する上側薄肉破断ライン２０及び下側薄肉破断ライン２２、スリット１６の一方に隣接して切り取りストリップ１８の外面に付設された把持片２４から構成されている。スリット１６は上記薄肉ヒンジ８に対して略９０度離隔した位置に配設されている。把持片２４は、スカート壁６の外周面に配設された基端部２６、基端部２６から周方向に延びる延出部２８及び延出部２８の内面からスカート壁６の外周面まで延びる破断可能な細い接続片３０から構成されている。
【００１１】
図１及び図４を参照して説明を続けると、スカート壁６に配設された第二の周方向破断手段１４は、第一の周方向破断手段１２のスリット１６の各々から開口１０の各々まで周方向に延びる薄肉破断ライン３２から構成されている。これによって、本発明の容器蓋２においては埃を堆積し得る空間を比較的少なくできると共に成形効率が制限されるのを抑制することができる。また、図示の実施形態における第二の周方向破断手段１４の薄肉破断ライン３２は、図１に図示する如く、第一の周方向破断手段１２の上側薄肉破断ライン２０及び開口１０上端と略同一の軸方向位置に配設されている。そしてまた、後に更に言及する如く、第一の周方向破断手段１２における上側薄肉破断ライン２０及び下側薄肉破断ライン２２を破断し、次いで第二の周方向破断ライン１４の薄肉破断ライン３２を破断せしめると、図３及び図８を比較参照することによって理解されるとおり、第一の周方向破断ライン１２及び第二の周方向破断ライン１４よりも上方に存在する旋回回動部３４がスカート壁６の下部、更に詳しくは第一の周方向破断手段１２及び第二の周方向破断手段１４よりも下方の部分３６に対して上記薄肉ヒンジ８を中心として上方に旋回回動可能になる。
【００１２】
図１及び図３を参照して説明を続けると、スカート壁６の外周面には、支持突出片３８及び支持凹部４０が配設されている。図示の実施形態における支持突出片３８は第一の周方向破断手段１２及び第二の周方向破断手段１４よりも下方の部分３６に配設されており、薄肉ヒンジ８の下方から薄肉ヒンジ８に沿ってスカート壁６の半径方向外側を上方に延びている。図示の実施形態においては、支持凹部４０は薄肉ヒンジ８の上方における旋回回動部３４に配設されている。また、スカート壁６の外周面には、旋回回動部３４における、薄肉ヒンジ８の直径方向反対側に鍔４２も配設されている。第一の周方向破断手段１２及び第二の周方向破断手段１４よりも下方の部分３６における内周面には、図５乃至図７に図示する如く、その下部に周方向に延びる環状係合手段４４が配設されている。
【００１３】
上記天面壁４は、図３乃至図７を比較参照すれば理解されるとおり、その中央部に位置する円形隆起部４６、環状周縁部４８及び隆起部４６の周縁から環状周縁部４８の内周縁に向かって下方に延びる筒状部５０から構成されている。図示の実施形態においては、天面壁４の周縁部４８の内面に実質上鉛直に垂下する環状外側シール片５２が配設されており、環状外側シール片５２の内周面の下部には係止手段５４が形成されている。かかる係止手段５４は周方向に間隔をおいて周方向に延びる複数個（図４においては３個）の係止突条５６から構成されており、上記第二の周方向破断手段１４の、第一の周方向破断手段１２に続く破断開始端部が位置する角度領域である破断開始角度領域５８においては係止突条５６が存在しない。好ましくは、第二の周方向破断手段１４の破断開始角度領域５８の各々の周方向角度は５乃至２０度である。第二の周方向破断手段１４の破断開始角度領域５８の、第二の周方向破断手段１４の破断方向に見て少なくとも上流端部において上記環状外側シール片５２は、図４及び図７を比較参照すれば理解されるとおり、局部的に内径を増大せしめることによって局部的に厚さが低減せしめられている。好ましくは、第二の周方向破断手段１４の破断開始角度領域５８の少なくとも上流端部と共に第一の周方向破断手段１２のスリット１６が存在する角度領域においても環状外側シール片５２は局部的に内径を増大せしめることによって局部的に厚さが低減せしめられている。また、図示の実施形態における天面壁４には、隆起部４６の内面から垂下する環状内側シール片６０、及び周縁部４８の内面から垂下する環状外側シール突条６２も配設されている。環状内側シール片６０は上記環状外側シール片５２から半径方向内方に所定距離離間せしめられて配置されており、天面壁４の隆起部４６の周縁の内面から下方に向かって半径方向外方に幾分傾斜して延びている。環状シール突条６２は、上記環状外側シール片５２と環状内側シール片６０との間に配置せしめられており、天面壁４の周縁部４８の内面から下方に向かって凸状に膨出せしめられている膨出部から形成されている。
【００１４】
図５乃至図７には、容器蓋２が適用される容器６４の口頸部６６も図示されている。かかる口頸部６６はブリキ薄板又はアルミニウム薄板の如き適宜の金属薄板から形成されており、主部６８及び中栓部７０を含んでいる。主部６８の上端部は略円筒形状であり、軸線方向中央に係止あご部７２を有する。主部６８の上端部における係止あご部７２よりも上方は主部６８の上端部における係止あご部７２よりも下方より外径が小さくせしめられており、主部６８の上端部における係止あご部７２よりも上方には被巻き締めカール７４が形成されている。中栓部７０は円形中央部７６と、この中央部７６の周縁から実質上鉛直に上方に延びる筒状鉛直部７８と、鉛直部７８の上端から延びる被巻き締めカール８０とを含んでいる。かように構成された中栓部７０は、被巻き締めカール８０を主部６８の被巻き締めカール７４に巻き締めることによって、主部６８に固定されている。また、中栓部７０の中央部７６には開口が形成されており（図示しない）、かかる開口の周辺における中央部７６の上面にシール部材８２が剥離可能に接合されている。
【００１５】
上述したように構成された容器６４の口頸部６６に容器蓋２を装着する際には、容器６４の口頸部６６に容器蓋２を被嵌して下方に押圧すると、容器蓋２のスカート壁６の内面に形成されている係合手段４４はそれ自体の弾性変形或いはスカート壁６の弾性変形によって係止あご部７２を通過し、次いで弾性的に復元して係止あご部７２に係止乃至係合せしめられる。一方、容器蓋２の環状内側シール片６０は容器６４の口頸部６６における中栓部７０の環状鉛直部７８の内周面に密接せしめられて半径方向内方に撓まされる。また、容器蓋２の環状外側シール片５２の内周面に形成されている係止手段５４はそれ自体の弾性変形或いは環状外側シール片５２の弾性変形によって容器６４の口頸部６６における中栓部７０の被巻き締めカール８０の外周面を通過する。しかる後においては、係止手段５４は弾性的に復元して容器６４の口頸部６６における自由端に係止せしめられ、係止手段５４が形成されている位置よりも上方の環状外側シール片５２が容器６４の口頸部６６における中栓部７０の被巻き締めカール８０の外周面に密接せしめられる。そしてまた、環状外側シール片５２と環状内側シール片６０との間に配置せしめられている環状シール突条６２は、容器６４の口頸部６６における中栓部７０の環状頂面に当接せしめられて幾分圧縮される。かくして容器６４の口頸部６６に容器蓋２が装着され、容器６４の口頸部６６が密封される。
【００１６】
容器蓋２で口頸部６６を密封された容器６４内の内容物を消費する際には、最初に、把持片２４の延出部２８を外方に強制して接続片３０を破断せしめる。次いで、延出部２８を把持して所要方向に引っ張り、第一の周方向破断手段１２における上側薄肉破断ライン２０及び下側薄肉破断ライン２２を破断することによって第一の周方向破断手段１２における把持片２４及びストリップ１８を容器蓋２から切り取る。しかる後において、容器蓋２の旋回回動部３４に形成されている鍔４２に指を掛けて上方及び薄肉ヒンジ８に向かう方向に強制すると、容器蓋２における係止突条５６の、口頸部６６への係止が解除されながら第二の周方向破断手段１４の破断が進行する。これに伴って、旋回回動部３４は薄肉ヒンジ８を中心として旋回回動せしめられ、容器６４の口頸部６６が露呈せしめられる。旋回回動部３４が所定角度α旋回回動せしめられると、薄肉ヒンジ８の上方に配設されている支持凹部４０は、その上端が薄肉ヒンジ８の下方から上方に延びる支持突出片３８の先端部を弾性的に乗り越えて、図８及び図９に図示する如く支持突出片３８の先端部を受け入れる。かくして旋回回動部３４は所定角度α旋回回動せしめた状態に充分確実に保持される。かかる所定角度αは９５乃至１２０度であるのが好適である。しかる後において、容器６４の口頸部６６における中栓部７０からシール部材８２を剥離すると、容器６４の中栓部７０に形成された開口（図示しない）が露呈せしめられ、かかる開口を通して容器６４内の内容物を消費することができる。旋回回動部３４を所定角度α旋回せしめた状態から閉方向に旋回して容器６４の口頸部６６を閉じる際には、旋回回動部３４に指を掛けて閉方向に強制すると、旋回回動部３４は薄肉ヒンジ８を中心として旋回回動せしめられ、支持凹部４０は、その上端が薄肉ヒンジ８の下方から上方に延びる支持突出片３８の先端部を弾性的に乗り越えて、支持突出片３８の先端部を解放する。旋回回動部３４が薄肉ヒンジ８を中心として更に閉方向に旋回回動せしめると、容器蓋２の環状外側シール片５２の内周面に形成されている係止手段５４はそれ自体の弾性変形或いは環状外側シール片５２の弾性変形によって容器６４の口頸部６６における中栓部７０の被巻き締めカール８０の外周面を通過する。しかる後においては、係止手段５４は弾性的に復元して容器６４の口頸部６６における自由端に係止せしめられ、係止手段５４が形成されている位置よりも上方の環状外側シール片５２が容器６４の口頸部６６における中栓部７０の被巻き締めカール８０の外周面に密接せしめられる。また、容器蓋２の環状内側シール片６０は容器６４の口頸部６６における中栓部７０の環状鉛直部７８の内周面に密接せしめられて半径方向内方に撓まされる。そしてまた、環状外側シール片５２と環状内側シール片６０との間に配置せしめられている環状シール突条６２は、容器６４の口頸部６６における中栓部７０の環状頂面に当接せしめられて幾分圧縮される。かくして容器蓋２によって容器６４の口頸部６６が再び密封される。
【００１７】
【発明の効果】
本発明の合成樹脂製容器蓋によれば、埃が堆積し得る空間を比較的少なくせしめることができる共に成形効率が制限されることを抑制することができる。そして更に第二の周方向破断手段の破断を充分容易に開始することができる。
【００１８】
また、本発明の合成樹脂製容器蓋の好適形態によれば、更に、旋回回動部を所定角度α旋回回動せしめると、旋回回動部がかかる角度位置に充分確実に保持されるにもかかわらず、旋回回動部を充分容易に閉方向に旋回せしめることができる。
【図面の簡単な説明】
【図１】  本発明に従って構成された容器蓋の好適実施形態を示す斜視図。
【図２】  図１に示す容器蓋の側面図。
【図３】  図１に示す容器蓋の正面図。
【図４】  図１に示す容器蓋の上面図。
【図５】  図１に示す容器蓋を容器の口頸部に装着した状態を図４の線Ａ−Ａにおける部位にて示した部分断面図。
【図６】  図１に示す容器蓋を容器の口頸部に装着した状態を図４の線B−Bにおける部位にて示した部分断面図。
【図７】  図１に示す容器蓋を容器の口頸部に装着した状態を図４の線C−Cにおける部位にて示した部分断面図。
【図８】  図１の容器蓋の旋回回動部を所定角度α旋回回動せしめ、旋回回動部における支持凹部が支持突出片を受け入れた状態を示す図。
【図９】  図８のD部を示す拡大図。
【符号の説明】
２：容器蓋
４：天面壁
６：スカート壁
８：薄肉ヒンジ
１０：開口
１２：第一の周方向破断手段
１４：第二の周方向破断手段
１６：スリット
１８：ストリップ
２０：上側薄肉破断ライン
２２：下側薄肉破断ライン
２４：把持片
３２：薄肉破断ライン
３４：旋回回動部
３８：支持突出片
４０：支持凹部
５２：環状外側シール片
５４：係止手段
５６：係止突条
５８：破断開始角度領域
６０：環状内側シール片
６２：環状シール突条
６４：容器
６６：口頸部
【図１】
0004253468.tif 000002
【図２】
0004253468.tif 000003
【図３】
0004253468.tif 000004
【図４】
0004253468.tif 000005
【図５】
0004253468.tif 000006
【図６】
0004253468.tif 000007
【図７】
0004253468.tif 000008
【図８】
0004253468.tif 000009
【図９】
0004253468.tif 000010